(57)【要約】【課題】  従来のヒートポンプ式給湯機は、夜間時間帯においても残湯量が多いときに加熱能力を小さくしてしまうと、お湯を大量かつ短時間に使用された場合、お湯を沸き上げる加熱能力が足らなくなり湯切れを起こすという問題を有していた。【解決手段】  ヒートポンプユニット２を用いて給湯用の液体を加熱し、その加熱された液体を貯湯タンク１に貯えるヒートポンプ式給湯機において、夜間時間帯の沸き上げ時には前記貯湯タンク１内の残湯量に応じてヒートポンプユニット２の加熱能力を可変し、昼間時間帯の沸き上げ時には前記貯湯タンク１内の残湯量とは関係なく前記ヒートポンプユニット２の加熱能力を最大加熱能力で動作させる制御部１６を備える。【選択図】  図２
2009063262.tif 000002
【特許請求の範囲】
【請求項１】
ヒートポンプユニットを用いて給湯用の液体を加熱し、その加熱された液体を貯湯タンクに貯えるヒートポンプ式給湯機において、
夜間時間帯の沸き上げ運転時には前記貯湯タンク内の残湯量に応じて前記ヒートポンプユニットの加熱能力を可変し、昼間時間帯の沸き上げ運転時には前記貯湯タンク１内の残湯量とは関係なく前記ヒートポンプユニットの加熱能力を最大加熱能力で動作させるように制御する制御部を備えたことを特徴とするヒートポンプ式給湯機。
【請求項２】
前記制御部は、夜間時間帯の沸き上げ運転時において、貯湯タンク内の残湯量が予め設定した所定値より多いときは、前記ヒートポンプユニットの加熱能力を小さく設定して動作させるように制御することを特徴とする請求項１記載のヒートポンプ式給湯機。
【請求項３】
前記制御部は、昼間時間帯の沸き上げ運転時において、時間帯によって、沸き上げ開始温度と沸き上げ停止温度を検出する温度センサ又は沸き上げ開始温度と沸き上げ停止温度を検出する温度センサの検出温度を異なることを特徴とする請求項１又は2記載のヒートポンプ式給湯機。
【発明の詳細な説明】
【技術分野】
【０００１】
本発明は、ヒートポンプ式給湯機に関するものである。
【背景技術】
【０００２】
従来のヒートポンプ式給湯機は、貯湯タンク内の残湯量に応じてヒートポンプサイクルの加熱能力を可変する加熱能力可変手段を備え、残湯量が多いときは、加熱能力を小さくして運転音の低減を図っていた（例えば、特許文献１参照）。
【０００３】
【特許文献１】特開２００３−９０６０６号公報（第1頁、第1、２図）
【発明の開示】
【発明が解決しようとする課題】
【０００４】
しかしながら、上記のようなヒートポンプ式給湯機では、昼間時間帯においても残湯量が多いときに加熱能力を小さくしてしまうと、お湯を大量かつ短時間に使用された場合、お湯を沸き上げる加熱能力が足らなくなり、湯切れを起こすという問題を有していた。
【０００５】
この発明は、上述のような課題を解決するためになされたもので、夜間時間帯は貯湯タンク内の残湯量に応じてヒートポンプユニットの運転音の低減が図られ、昼間時間帯は残湯量とは関係なくヒートポンプユニットの加熱能力を最大加熱能力で動作させることにより、お湯を大量かつ短時間に使用された場合にも、湯切れを防止することができるヒートポンプ式給湯機を提供することを目的とする。
【課題を解決するための手段】
【０００６】
この発明に係るヒートポンプ式給湯機は、ヒートポンプユニットを用いて給湯用の液体を加熱し、その加熱された液体を貯湯タンクに貯えるヒートポンプ式給湯機において、
夜間時間帯の沸き上げ運転時には前記貯湯タンク内の残湯量に応じて前記ヒートポンプユニットの加熱能力を可変し、昼間時間帯の沸き上げ運転時には前記貯湯タンク１内の残湯量とは関係なく前記ヒートポンプユニットの加熱能力を最大加熱能力で動作させるように制御する制御部を備えたことを特徴としている。
【発明の効果】
【０００７】
本発明に係るヒートポンプ式給湯機によれば、夜間時間帯の沸き上げ時には貯湯タンク内の残湯量に応じて前記ヒートポンプユニットの加熱能力を可変し、残湯量が多いときには前記ヒートポンプユニットの加熱能力を加熱能力を小さくして、前記ヒートポンプユニットの運転音の低減を図り、昼間時間帯の沸き上げ時には前記貯湯タンク１内の残湯量とは関係なく前記ヒートポンプユニットの加熱能力を最大加熱能力で動作させることにより湯切れを防止することができる
【発明を実施するための最良の形態】
【０００８】
実施の形態１．
図１は、この発明を実施の形態１におけるヒートポンプ式給湯機の構成図、図２はこの発明の実施の形態１における制御のフローチャート、図３は昼間時間帯の沸き上げ開始温度と沸き上げ停止温度の関係を示す表である。
図１において、貯湯タンク１は水や湯を貯え、加熱手段であるヒートポンプユニット２内には圧縮機、給湯用熱交換器、膨張弁、室外熱交換器、アキュームレータを順次冷媒配管で接続した冷凍サイクル回路を備えている。
前記ヒートポンプユニット２には加熱循環回路３が接続され、この加熱循環回路３は貯湯タンク１の上下部と接続されている。前記加熱循環回路３には循環ポンプ１８が設けられ、貯湯タンク１の下部から水をヒートポンプユニット２に導き、ヒートポンプサイクルにより外気との熱交換を行い、水を高温の湯に沸き上げ、貯湯タンク１の上部に戻している。
前記加熱循環回路３の貯湯タンク１下部側には第４の沸き上げ用温度センサ４ｄが設けられ、貯湯タンク１の外周に設けられている第１〜３の沸き上げ用温度センサ４ａ〜４ｃとともに貯湯タンク１内の水の沸き上げ状態を検知する。貯湯タンク温度センサ５は貯湯タンク１の上部の温度を検知する。混合手段である電動湯水混合弁６は、電動制御によって湯と水の混合率を変化させて適温の湯水を作り出す。
【０００９】
一方、給湯管７は、一端を貯湯タンク１の上部に接続し、他端を電動湯水混合弁６の給湯口に接続し、貯湯タンク１内に貯湯された湯を電動湯水混合弁６に供給するための配管である。なお、貯湯タンク温度センサ５はこの給湯管７の近傍に取り付けられている。
給水管９は、水道管等の水源に接続され、減圧弁１１は給水管９に取り付けられ、水源水圧を減少させる減圧弁１１を介して貯湯タンク１の下部に接続されている。
給水バイパス管８は減圧弁１１の下流の給水管９に一端が接続され、他端を電動湯水混合弁６の給水口に接続して水源の水を電動湯水混合弁６に供給する。
給水温度センサ１７は給水バイパス管８を通る水の温度を検知する。混合給湯管1０は一端を電動湯水混合弁６の混合湯出口に接続している。貯湯タンク１の上部近傍の給湯管７には沸き上げ中に体積膨張した貯湯タンク１内の湯を逃がす（排出する）ための逃がし弁１２が設けてある。水流検出手段１３は混合給湯管１０内を流れる流量を検出する。給湯用温度センサ１４は電動湯水混合弁６による温度補正を行なうために混合給湯管１０に取り付けられていて、前記混合給湯管１０内を流れる湯水の温度を検知する。
【００１０】
制御装置となる制御部１６は、リモコン１５によって設定された給湯温度や沸き上げ温度や第1〜４の沸き上げ用温度センサ４ａ〜４ｄ、貯湯タンク温度センサ５、給湯用温度センサ１４、水流検出手段１３からの信号を受け取ると共に、ヒートポンプユニット２、電動湯水混合弁６等を制御している。
【００１１】
上記のように構成した実施の形態１の作用を図１によって説明する。
まず、水源から給水管７に送られた水は、減圧弁９を通り、減圧されて貯湯タンク１内に流入し、貯湯タンク１内を常に満水状態に維持する。この状態で、貯湯タンク１内の水は循環ポンプ１８の運転により、貯湯タンク１の下部から加熱循環回路３に取り出されてヒートポンプユニット２で熱交換し、リモコン１５により設定された温度（例えば９０℃）になるように加熱昇温されて貯湯タンク１の上部に戻される（図１中、矢印ａ）。
これにより、貯湯タンク１内には、その上部より９０℃の湯が少量づつ貯湯されていく。
【００１２】
ヒートポンプユニット２による沸き上げは、第４の沸き上げ温度センサ４ｄの温度が一定温度（例えば７０℃）以上になったら、貯湯タンク１が全量沸き上がったと判断して、終了する。このとき、ヒートポンプユニット２による沸き上げ加熱性能は、ヒートポンプユニット２に入る水の温度が低いときは、沸き上げの加熱効率が高いが、入る水の温度が高いときは沸き上げの加熱効率は低下する特性を持っている。 なお、貯湯によって膨張した貯湯タンク１内の湯は、逃し弁１０から排出される。また、給湯により貯湯タンク１内の湯が減ってくると、第１〜３の沸き上げ温度センサ４ａ〜４ｃの検出温度によって再沸き上げを行う。
例えば、夕飯の支度やお風呂の湯はり等、大量の湯をこれから必要とする１７時から２３時の間に貯湯タンク１の中間位置にある第２の沸き上げ温度センサ４ｂの検出温度が４４℃以下になったら、再沸き上げ行い、第３の沸き上げ温度センサ４ｃの検出温度が４６℃以上になったら、再沸き上げを停止する。
【００１３】
蛇口等が開かれ給湯するときは、貯湯タンク１内に貯湯された湯と水源水はそれぞれ給湯管７と給水バイパス管８を通って電動湯水混合弁６に至り、ここで、混合給湯管１０に取り付けた給湯用温度センサ１４の検出温度が、リモコン１５により設定された設定温度になるように、電動湯水混合弁６の湯と水の混合率が制御される。この際、混合給湯管１０に取り付けた水流検出手段１３が混合給湯管１０に湯水が流れているかどうかを検出して、湯水の流れ（例えば、流量１．５L/min以上）を検出すると、給湯用温度センサ１４と貯湯タンク温度センサ５、給水温度センサ１７の検出温度によって電動湯水混合弁６にフィードバック制御を開始する。
【００１４】
図２のフローチャートによって、上記作用をより詳細に説明する。
ステップＳ１は、制御部１６が通電時間帯を検出し、ステップ２で夜間時間帯であるか否かを判断する。夜間時間帯であれば、ステップＳ３へ進み、そうでなければ、ステップS７へ進む。ここで、夜間時間帯は２３時〜７時とする。
【００１５】
ステップS３は、第１〜第４の沸き上げ用温度センサ４a〜４dの検出温度から貯湯タンク1内の残湯量を検出する。
【００１６】
ステップS４は、制御部１６が貯湯タンク1内の残湯量が１５０L以下であるか否かを判断し、１５０L以下であれば、ステップS５に進み、そうでなければ、ステップS６に進む。
【００１７】
ステップS５は、制御部１６がヒートポンプユニット２の加熱能力を大きく設定して、最大加熱能力７．２KWで運転し、ステップS６は、制御部１６がヒートポンプユニット２の加熱能力を小さく設定して、加熱能力６．０KWで運転する。
ヒートポンプユニット２の運転音は最大加熱能力７．２KWでの運転時は４４ｄＢ、加熱能力６．０ＫＷでの運転時は４２ｄＢという測定結果となっている。
【００１８】
ステップＳ８は、制御部１６の指示で循環ポンプ１８、ヒートポンプユニット２の加熱動作を開始し、貯湯タンク１上部より沸き上げる。そして、リモコン１５で設定された沸き上げ温度に対する夜間時間帯の沸き上げ停止温度Ｔ１（例えば７０℃）に第４の沸き上げ用温度センサ４ｄの検出温度が達したか否かを判断し（ステップＳ９）、第４の沸き上げ用温度センサ４ｄの検出温度が夜間時間帯の沸き上げ停止温度Ｔ１（例えば７０℃）に達すれば、ヒートポンプユニット２の加熱動作を停止する（ステップＳ１０）。
例えば、リモコン１５の沸き上げ設定温度が９０℃の場合、夜間時間帯の沸き上げ停止温度Ｔ１は７０℃となる。ヒートポンプ方式による沸き上げ加熱性能は、ヒートポンプユニット２に入る水の温度が低いときは、沸き上げの加熱効率が高いが、入る水の温度が高いときは沸き上げの加熱効率は低下する特性を持っているため、沸き上げ設定温度より低い温度で沸き上げを停止させている。
【００１９】
ステップＳ７は、制御部１６がヒートポンプユニット２の加熱能力を大きく設定して、最大加熱能力７．２KWで運転する。
即ち、昼間時間帯はヒートポンプユニットの加熱能力を最大で運転させて、湯切れ防止を図る。また、昼間時間帯は夜間時間帯に比べ、運転音のクレーム等は少ないため、最大加熱能力７.２ＫＷでヒートポンプユニット２を運転させてもあまり問題はない。
【００２０】
ステップＳ１１は、第1〜３の沸き上げ用温度センサ４ａ〜4ｃの検出温度が昼間時間帯の沸き上げ開始温度Ｔ２に達したか否かを判断し、達していれば、制御部１６の指示で循環ポンプ１８、ヒートポンプユニット２が動作を開始し、貯湯タンク１上部より沸き上げる（ステップ１２）。
例えば、図３に示すように、昼間時間帯の沸き上げ開始温度Ｔ２を時間帯により異なり、かつ温度を検出する沸き上げ用温度センサも異なる。７時〜９時の場合は、第３の沸き上げ用温度センサ４ｃの検出温度が６０℃以下になったら沸き上げを開始し、９時〜１５時の場合は、第２の沸き上げ用温度センサ４ｂの検出温度が４４℃以下になったら沸き上げを開始し、１５〜１７時の場合は、第３の沸き上げ用温度センサ４ｃの検出温度が４４℃以下になったら沸き上げを開始し、１７時〜２３時の場合は、第２の沸き上げ用温度センサ４ｂの検出温度が４４℃以下になったら、沸き上げを開始するようにする。
【００２１】
ステップＳ１３は、昼間時間帯の沸き上げ停止温度Ｔ３に第1〜４の沸き上げ用温度センサ４ａ〜４ｄの検出温度が達したか否かを判断し、達していれば、ヒートポンプユニット２の加熱動作を停止する（ステップＳ１４）。
例えば、図３に示すように、昼間時間帯の沸き上げ停止温度Ｔ３も時間帯により異なり、かつ温度を検出する沸き上げ用温度センサも異なる。即ち、７時〜９時の場合は、第３の沸き上げ用温度センサ４ｃの検出温度が６２℃以上になったら沸き上げを停止し、９時〜１５時の場合は、第３の沸き上げ用温度センサ４ｃの検出温度が４６℃以上になったら沸き上げを停止し、１５〜１７時の場合は、第４の沸き上げ用温度センサ４ｄの検出温度が４６℃以上になったら沸き上げを停止し、１７時〜２３時の場合は、第３の沸き上げ用温度センサ４ｃの検出温度が４６℃以上になったら、沸き上げを停止するようにする。
【００２２】
上記実施の形態１に示されるヒートポンプ式給湯機は、以上のように動作するため、夜間時間帯の沸き上げ時には貯湯タンク内の残湯量に応じて前記ヒートポンプサイクルの加熱能力を可変し、残湯量が多いときには前記ヒートポンプサイクルの加熱能力を加熱能力を小さくして、前記ヒートポンプサイクルの運転音の低減を図り、昼間時間帯の沸き上げ時には前記貯湯タンク１内の残湯量とは関係なく前記ヒートポンプサイクルの加熱能力を最大加熱能力で動作させることにより、お湯を大量かつ短時間に使用された場合にも、湯切れを防止することができる。
【図面の簡単な説明】
【００２３】
【図１】本発明の実施の形態１のヒートポンプ式給湯機の構成図である。
【図２】本発明の実施の形態１の制御を示すフローチャートである。
【図３】本発明の実施の形態１の昼間時間帯の沸き上げ開始温度と沸き上げ停止温度の関係を示す表である。
【符号の説明】
【００２４】
１  貯湯タンク
２  ヒートポンプユニット
３  加熱循環回路
４a〜４d  第1〜４の沸き上げ用温度センサ
１５  リモコン
１６  制御部
１０  循環ポンプ
【図１】
2009063262.tif 000003
【図２】
2009063262.tif 000004
【図３】
2009063262.tif 000005